(57)【要約】【課題】本発明の目的は、読影画面環境を効果的に再現することにある。【解決手段】本発明に係る読影画面環境情報提供システムは、読影画面環境に関する複数のデータファイルをユーザ名及びハードウェア構成に関連付けて記憶する読影画面環境情報ＤＢ７と、電子的通信網を介して接続された医用画像観察装置３からデータファイルの提供要求をユーザ名及び前記ハードウェア構成に関する情報とともに受信する受信部８と、受信したユーザ名及びハードウェア構成に関連付けられているデータファイルを取得するためにユーザ名及びハードウェア構成によりＤＢ７を検索する検索部１０と、取得したデータファイルを提供要求元の医用画像観察装置３に対して送信する送信部９とを具備する。【選択図】      図３
2005304824.tif 000002
【特許請求の範囲】
【請求項１】
読影画面環境に関する複数のデータファイルを、ユーザ名及びハードウェア構成に関連付けて記憶する記憶部と、
電子的通信網を介して接続された医用画像観察装置から前記データファイルの提供要求を前記ユーザ名及び前記ハードウェア構成に関する情報とともに受信する受信部と、
前記受信したユーザ名及びハードウェア構成に関連付けられているデータファイルを取得するために前記受信したユーザ名及びハードウェア構成により前記記憶部を検索する検索部と、
前記取得したデータファイルを前記提供要求の元の医用画像観察装置に対して送信する送信部とを具備することを特徴とする読影画面環境情報提供システム。
【請求項２】
前記読影画面環境には、１画面内の画像表示コマ数、およびツールバーデザインが含まれることを特徴とする請求項１記載の読影画面環境情報提供システム。
【請求項３】
前記ハードウェア構成には、モニタの種類、および前記モニタの解像度が含まれることを特徴とする請求項１記載の読影画面環境情報提供システム。
【請求項４】
前記ハードウェア構成には、前記モニタの種類および前記モニタの解像度とともに、前記モニタの数量が含まれることを特徴とする請求項１記載の読影画面環境情報提供システム。
【請求項５】
前記電子的通信網は、病院内通信網であることを特徴とする請求項１記載の読影画面環境情報提供システム。
【請求項６】
前記電子的通信網は、広域通信網であることを特徴とする請求項１記載の読影画面環境情報提供システム。
【発明の詳細な説明】
【技術分野】
【０００１】
本発明は、複数の医用画像観察装置に電子的通信網を介して接続される読影画面環境情報提供システムに関する。
【背景技術】
【０００２】
近年、ディスプレイの高性能化、低価格化等に伴って、フィルムレスで読影を行う状況が普及している。ディスプレイに画像を表示することで、ディジタル画像の表示画面を観察者が自身個人の希望や読影手順等に応じて、１画面のコマ数、コマ配置、ツールバー等の画面構成を自由設計することができる。自由に設計した読影画面環境で読影をすることは読影医個々にとって読影効率の向上に大いに寄与する。
【０００３】
読影医にとっては、読影場所に関わらず、常に同じ読影画面環境を再現し、その環境のもとで読影作業を実施することが、読影効率の観点で重要である。
【特許文献１】特開平８−２５６９８９号公報
【発明の開示】
【発明が解決しようとする課題】
【０００４】
本発明の目的は、読影画面環境を効果的に再現することにある。
【課題を解決するための手段】
【０００５】
本発明に係る読影画面環境情報提供システムは、読影画面環境に関する複数のデータファイルを、ユーザ名及びハードウェア構成に関連付けて記憶する記憶部と、電子的通信網を介して接続された医用画像観察装置から前記データファイルの提供要求を前記ユーザ名及び前記ハードウェア構成に関する情報とともに受信する受信部と、前記受信したユーザ名及びハードウェア構成に関連付けられているデータファイルを取得するために前記受信したユーザ名及びハードウェア構成により前記記憶部を検索する検索部と、前記取得したデータファイルを前記提供要求の元の医用画像観察装置に対して送信する送信部とを具備する。
【発明の効果】
【０００６】
本発明によれば、読影画面環境を効果的に再現することができる。
【発明を実施するための最良の形態】
【０００７】
以下図面を参照して本発明の実施形態を説明する。本実施形態に係る読影画面環境情報提供システムは、読影時に用いられる医用画像観察装置に対して、読影画面環境情報を提供するために組まれたシステムである。読影画面環境には、１画面に一度に画像を表示するコマ（マス、枠ともいう）の数（以下、コマ数という）、１画面内のコマの配置（以下、コマレイアウトという）、コマンドボタンの選択とそのレイアウト（以下、ツールバーデザインという）が含まれる。さらに読影支援のために距離計測、体積計算、画像処理等の各種のアプリケーションプログラムが利用されるが、アプリケーションプログラムごとに設定される自動起動のオン／オフについても、アプリケーションプログラムの起動時にそれに応じたコマンドボタンが表示さることから、読影画面環境に含まれるとする。本実施形態では、このような読影画面環境に関するデータファイルを、読影医を識別するためのユーザ名（またはユーザ識別コード）と、医用画像観察装置のハードウェア構成とに関連付けて記憶する。ハードウェア構成には、典型的には、医用画像観察装置のモニタの種類、モニタの解像度、モニタの数量、光磁気ディスク装置（ＭＯドライブ）やＤＶＤドライブ等の外部記録装置の有無が含まれる。ユーザ名とハードウェア構成とで読影画面環境に関するデータファイルを管理することで、詳細に読影画面環境を再現することができる。
【０００８】
図１に示すように、本実施形態に係る読影画面環境情報提供システム１は、病院内電子的通信網（病院内ＬＡＮ）２を介して、読影のための複数の医用画像観察装置３に接続される。図２に示すように、本実施形態に係る読影画面環境情報提供システム１は、インターネット回線等の広域電子的通信網（ＷＡＮ）４を介して、複数の医用画像観察装置３に接続されてもよい。医用画像観察装置３は例えばＸ線診断装置、Ｘ線コンピュータ断層撮影装置（ＣＴスキャナ）、磁気共鳴映像装置（ＭＲＩ）、超音波診断装置、ガンマカメラ、ＰＥＴ又はＳＰＥＣＴで収集された医用画像を表示する。
【０００９】
図３に示すように、読影画面環境情報提供システム１は、読影画面環境保持装置５を制御中枢として、読影画面環境提供装置リスト記憶部６、読影画面環境情報データベース７、受信部８、送信部９、検索部１０を備えている。読影画面環境情報データベース７は、ユーザ名とハードウェア構成とを関連付けて読影画面環境に関する複数のデータファイルを記憶する。検索部１０は、受信部８から受信したユーザ名とハードウェア構成とを検索キーとして、読影画面環境情報データベース７を検索する。読影画面環境提供装置リスト記憶部６は、読影画面環境情報データベース７に読影画面環境に関する少なくとも一つのデータファイルが記憶されている医用画像観察装置３の識別コードに関するリストを記憶する。つまり、このリストに識別コードが記載されている医用画像観察装置３は、その装置３に関する読影画面環境データファイルが存在することを意味し、逆に当該リストに識別コードが記載されていないとき、その医用画像観察装置３に関する読影画面環境データファイルは存在しないことを意味している。
【００１０】
図４に示すように、ハードウェア構成には、医用画像観察装置３のモニタの種類（カラー／モノクロ）、モニタの解像度、モニタの数量（台数）、光磁気ディスク装置（ＭＯドライブ）やＤＶＤドライブ等の外部記録装置の有無が含まれる。このハードウェア構成とともに読影医固有のユーザ名が関連付けられて読影画面環境データファイルが記憶される。それにより、読影医は、現在読影しようとしている医用画像観察装置３と同じハードウェア構成の医用画像観察装置３を使って自分が過去に行った読影と同じ読影画面を忠実に再現することができる。つまり、読影医は、自分が過去に行った読影時と同じハードウェア構成の医用画像観察装置３を使って、１画面に一度に画像を表示するコマの数（コマ数）、１画面内のコマの配置（コマレイアウト）、コマンドボタンの選択とそのレイアウト（ツールバーデザイン）、自動起動するアプリケーションプログラムが同じ画面で読影することができる。
【００１１】
図５に示すように、本実施形態においては、まず、読影画面環境保持装置５は、医用画像観察装置３から受信部８を介して、読影画面環境データファイルの提供要求を受信する。読影画面環境保持装置５は、読影画面環境データファイルの提供要求を受信したとき、医用画像観察装置３に対して、ユーザ名、ハードウェア構成、装置識別番号（ＩＤコード）の入力及び送信を促す。なお、ハードウェア構成の中の「モニタの種類」と「モニタの解像度」とは、必須項目である。これら２項目の入力がなされないときは、入力がなされるまで、読影画面環境保持装置５は、医用画像観察装置３に対して、入力を催促する。それら以外の「モニタの数量」と「外部装置の有無」とは任意項目である。「モニタの数量」と「外部装置の有無」のいずれか一方、又は両方の入力がなければ、後述のように、それを検索キーから除外して検索を行う。
【００１２】
次に、読影画面環境保持装置５は、検索部１０に指示して、受信した装置識別番号を検索キーとして、読影画面環境提供装置リスト記憶部６の読影画面環境提供装置リストを検索する。読影画面環境保持装置５は、読影画面環境提供装置リスト記憶部６から検索部１０を介して、当該装置識別番号が読影画面環境提供装置リストに存在するか否かという検索結果を受け取る。当該装置識別番号が読影画面環境提供装置リストに存在するとき、当該装置３に関する読影画面環境データファイルが存在する。当該リストに装置識別番号が存在しないとき、つまり当該医用画像観察装置３と初めてリンクするとき、その医用画像観察装置３に関する読影画面環境データファイルは存在しない。
【００１３】
当該医用画像観察装置３に関する読影画面環境データファイルは存在しないとき、読影画面環境保持装置５は、医用画像観察装置３に対して、受信したハードウェア構成に対応する初期的な読影画面環境に関するデータファイル（読影画面環境のデフォルト）を送信する。そのため読影画面環境保持装置５は、複数種類のハードウェア構成にそれぞれ対応する複数の初期的な読影画面環境に関するデータファイルを保持している。初期的な読影画面環境に関するデータファイルは、様々なハードウェア構成に対して予め決められている典型的には装置メーカから推奨される読影画面環境、つまりコマ数、コマレイアウト、ツールバーデザイン、自動起動するアプリケーションプログラムが定義されている。医用画像観察装置３は、初期的な読影画面環境に関するデータファイルに従って画面構成を構築する。それにより医用画像観察装置３のモニタの画面は、推奨されるコマ数、推奨されるコマレイアウト、推奨されるツールバーデザインに構成される。また推奨されるアプリケーションプログラムが自動起動される。観察者は、推奨される初期的な画面に対して、自身の好みに応じて画面構成をカスタマイズすることができる。殆どの場合、カスタマイズに要する時間は、推奨画面の提供のない場合よりも、短縮され得る。
【００１４】
なお、医用画像観察装置３では、読影終了時には、カスタマイズされた読影画面環境がログファイルとして保存され、次回起動時にはログファイルに従って読影画面環境が構築される。読影画面環境情報提供システム１の読影画面環境保持装置５は医用画像観察装置３に対して、カスタマイズされた読影画面環境に関するログファイルの送信を要求する。カスタマイズされた読影画面環境に関するログファイルが医用画像観察装置３から受信すると、読影画面環境保持装置５はログファイルから読影画面環境に関するデータファイルを生成して、ユーザ名、ハードウェア構成、装置識別番号を関連付けて読影画面環境情報ＤＢ７に登録する。また、読影画面環境保持装置５は、当該装置３の装置識別番号を読影画面環境提供装置リスト記憶部６の読影画面環境提供装置リストに登録する。
【００１５】
当該医用画像観察装置３の識別番号が読影画面環境提供装置リストに存在するとき、読影画面環境保持装置５は、検索部１０に指示して、受信したユーザ名とハードウェア構成とを検索キーとして、読影画面環境情報データベース７を検索する。なお、ハードウェア構成の「モニタの数量」と「外部装置の有無」との任意項目の受信がなければ、それを検索キーから除外して、「モニタの種類」と「モニタの解像度」との必須項目とユーザ名だけで検索を行う。
【００１６】
受信したユーザ名とハードウェア構成とに合致したデータファイルが存在するとき、そのデータファイルが読影画面環境情報データベース７から読影画面環境保持装置５に読み出される。読影画面環境保持装置５は、受け取った読影画面環境データファイルを、医用画像観察装置３に送信する。医用画像観察装置３は、受信した読影画面環境に関するデータファイルに従って画面構成を構築する。それにより、図６、図７に例示するように、医用画像観察装置３のモニタの画面は、同じユーザが同じハードウェア構成で過去、典型的には前回の読影時と同じ画面に構築される。つまり、前回と同じコマ数、前回と同じコマレイアウト、前回と同じツールバーデザインに画面が再現される。しかも画面の再現は、特定の医用画像観察装置３に限定されず、当該通信網２，４内のいずれの医用画像観察装置３においても実現され得る。
【００１７】
受信したユーザ名とハードウェア構成とに完全に合致したデータファイルが存在しないとき、読影画面環境保持装置５は、検索部１０に指示して、受信したユーザ名と、ハードウェア構成の中の「モニタの種類」の項目と、ハードウェア構成の中の「モニタの解像度」の項目とに検索キーを限定して、検索を再度実行する。再検索で完全合致したデータファイルが存在するとき、そのデータファイルが読影画面環境情報データベース７から読影画面環境保持装置５を経由して医用画像観察装置３に送信される。それにより医用画像観察装置３のモニタの画面は、同じユーザが「モニタの種類」及び「モニタの解像度」が同じ過去の状況でカスタマイズした画面と同じ画面に構築される。
【００１８】
さらに、ユーザ名と、ハードウェア構成の中の「モニタの種類」の項目と、ハードウェア構成の中の「モニタの解像度」の項目とに完全に合致したデータファイルが存在しないとき、読影画面環境保持装置５は、検索部１０に指示して、受信したユーザ名と、ハードウェア構成の中の「モニタの種類」の項目と「モニタの解像度」の項目とのいずれか一方とを検索キーとして検索をさらに実行する。この検索で完全合致したデータファイルが存在するとき、そのデータファイルが読影画面環境情報データベース７から読影画面環境保持装置５を経由して医用画像観察装置３に送信される。それにより医用画像観察装置３のモニタの画面は、同じユーザが「モニタの種類」と「モニタの解像度」との一方が同じ過去の状況でカスタマイズした画面と同じ画面に構築される。それでもデータファイルが存在しないときには、読影画面環境保持装置５は、検索部１０に指示して、受信したユーザ名だけを検索キーとして検索する。そのユーザ名が同じデータファイルが読影画面環境情報データベース７から読影画面環境保持装置５を経由して医用画像観察装置３に送信される。それにより医用画像観察装置３のモニタの画面は、同じユーザが過去にカスタマイズした画面と同じ画面に構築される。それでもデータファイルが存在しないときには、初期的なデータファイルが送信される。
【００１９】
以上のように通信網２，４内のいずれの医用画像観察装置３を使って読影をするに際しても、そのモニタには、同じユーザが同じハードウェア構成で行った前回の読影時と同じ画面が再現される得る。当該読影終了時には、終了時の画面構成を表すログファイルが、読影画面環境情報提供システム１の読影画面環境保持装置５に医用画像観察装置３から送信される。そのログファイルから読影画面環境に関するデータファイルが生成される。そのデータファイルに、ＤＢ７において同じユーザ名及び同じハードウェア構成が関連付けられていたデータファイルが更新される。当該更新作業により、常に最新、つまり前回の画面構成が再現され得る。
【００２０】
このように本実施形態によれば、読影医（ユーザ）は、通信網２又は４内のいずれの医用画像観察装置３を使っても、自身が過去にカスタマイズした画面と同じ読影画面をハードウェア構成ごとに再現することができ、効率的に読影を行うことができる。
【００２１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２２】
【図１】本発明の実施形態に係る読影画面環境情報提供システムの接続環境を示す図。
【図２】本実施形態に係る読影画面環境情報提供システムの他の接続環境を示す図。
【図３】本実施形態に係る読影画面環境情報提供システムの構成を示す図。
【図４】本実施形態において、ユーザ名とハードウェア構成の例を示す図。
【図５】本実施形態において、読影画面環境のデータファイルの提供手順を示す図。
【図６】本実施形態において提供される読影画面の例を示す図。
【図７】本実施形態において提供される読影画面の他の例を示す図。
【符号の説明】
【００２３】
１…読影画面環境情報提供システム、２…病院内ＬＡＮ、３…医用画像観察装置、４…ＷＡＮ、５…読影画面環境保持装置、６…読影画面環境提供装置リスト記憶部、７…読影画面環境情報データベース、８…受信部、９…送信部、１０…検索部。
【図１】
2005304824.tif 000003
【図２】
2005304824.tif 000004
【図３】
2005304824.tif 000005
【図４】
2005304824.tif 000006
【図５】
2005304824.tif 000007
【図６】
2005304824.tif 000008
【図７】
2005304824.tif 000009